(57)【特許請求の範囲】
【請求項１】
画像信号と、該画像信号に同期した同期信号が分離して入力され、該画像信号に基づいて生成される画像の表示位置を調整する自動表示位置調整機能を有する画像表示装置において、
前記同期信号の入力周波数の変化または前記画像信号の入力解像度の変化を検出すると、該画像信号と該同期信号との間の位相の変化によって生じた、前記画像の最適表示位置からの前記表示位置のずれを低減するように前記表示位置を調整して、前記画像の表示位置を決定する表示位置最適設定を複数回繰り返し実行する
ことを特徴とする画像表示装置。
【請求項２】
画像信号と、該画像信号に同期した同期信号が分離して入力され、該画像信号に基づいて生成される画像の表示位置を調整する自動表示位置調整機能を有する画像表示装置において、
前記同期信号の入力周波数の変化または前記画像信号の入力解像度の変化を検出すると、所定の期間内に、該画像信号と該同期信号との間の位相の変化によって生じた、前記画像の最適表示位置からの前記表示位置のずれを低減するように前記表示位置を調整して、前記画像の表示位置を決定する表示位置最適設定を複数回繰り返し実行する
ことを特徴とする画像表示装置。
【請求項３】
画像信号と、該画像信号に同期した同期信号が分離して入力され、該画像信号に基づいて生成される画像の表示位置を調整する自動表示位置調整機能を有する画像表示装置において、
前記同期信号の入力周波数の変化または前記画像信号の入力解像度の変化を検出すると、該画像信号と該同期信号との間の位相の変化によって生じた、前記画像の最適表示位置からの前記表示位置のずれを低減するように前記表示位置を調整して、前記画像の表示位置を決定する表示位置最適設定を所定の回数繰り返し実行する
ことを特徴とする画像表示装置。
【発明の詳細な説明】
【０００１】
【発明の属する技術分野】
この発明は画像表示装置に関するもので、特に表示位置最適設定を行うものである。
【０００２】
【従来の技術】
図４は従来の画像表示装置を示すブロック図であり、図において、１１は画像表示装置に入力されたアナログＲＧＢ信号をデジタル信号に変換するアナログ−デジタル変換器（以下ＡＤＣという）、１２は画像表示装置に入力された水平同期信号に同期したサンプリングクロックを発生させるＰＬＬ回路、１３はＡＤＣ１１の出力であるデジタルＲＧＢ信号及び画像表示装置に入力された水平・垂直同期信号（Ｈ，Ｖ信号）を入力する制御回路、１４はＡＤＣ１１，ＰＬＬ回路１２および制御回路１３を制御するマイクロコンピュータ（以下マイコンと言う）、１５は制御回路１３の基本発振信号を発する発振器、１６は制御回路１３から入力されるデジタルＲＧＢ信号及び水平・垂直同期信号及びデータイネーブル信号（ＤＥ信号）により画像を表示する液晶パネルである。
【０００３】
次に動作について説明する。画像表示装置に入力されたアナログＲＧＢ信号は、ＡＤＣ１１によりデジタル信号に変更され、そのデジタル信号は制御回路１３により液晶パネル１６に最適に表示される処理、例えば表示位置、拡大縮小率、スムージングを加えられて液晶パネルに表示される。ここで制御回路１３により行われる処理はすべてマイコン１４からの命令により制御回路が行っている。
最近の画像表示装置は、ユーザが調整しなくても装置が自動的に入力信号により表示位置、表示サイズを最適に調整するような自動表示位置最適化機能を持っているものがあり、使い勝手の向上が図られている。
【０００４】
この発明は自動表示位置最適化機能を有し、表示位置を最適にするためマイコンで処理しているので、以下ではそのマイコン処理の従来のフローについて述べる。
図５は従来の表示位置最適化処理のフローチャートである。
【０００５】
（１）まず、マイコン１４は制御回路１３から入力周波数を読み取り、周波数の変化があったかどうかを判別する（Ｓ１）。
（２）周波数の変化がないと判断した場合は、画像表示装置に入力される信号のタイミングは変化がないものとして制御回路１３の設定は以前のままで変更しない（Ｓ１→Ｓ７）。
【０００６】
（３）周波数が変化したと判断した場合は、画像表示装置に入力される信号のタイミングが変化したと判断し、表示位置が最適になるよう制御回路１３の設定を変更する（Ｓ４）。
（４）その後、ＭＡＩＮルーチンの処理をして始めに返る（Ｓ７）。
ここでＭＡＩＮルーチンとは、通常の画像表示処理やキー入力処理（調整ボタン入力処理）等である。
【０００７】
【発明が解決しようとする課題】
従来の画像表示装置は以上のように構成されていたので、画像表示装置に入力される同期信号の周波数の変化を観測し、それが変化したと判断した場合のみ表示位置を最適に処理をしていた。よって、同期信号の周波数は同じだが、同期信号と画像信号の位相が変化している場合には最適表示位置からずれた画像が表示されるという問題点があった。
【０００８】
この発明は上記のような問題点を解消するためになされたもので、画像表示装置に入力される同期信号の周波数が同じでも同期信号と画像信号の位相が変化する信号に対しても、画像表示位置を最適に表示することを目的とする。
【０００９】
【課題を解決するための手段】
（１）この発明に関わる画像表示装置は、画像信号と、該画像信号に同期した同期信号が分離して入力され、該画像信号に基づいて生成される画像の表示位置を調整する自動表示位置調整機能を有する画像表示装置において、前記同期信号の入力周波数の変化または前記画像信号の入力解像度の変化を検出すると、該画像信号と該同期信号との間の位相の変化によって生じた、前記画像の最適表示位置からの前記表示位置のずれを低減するように前記表示位置を調整して、前記画像の表示位置を決定する表示位置最適設定を複数回繰り返し実行するものである。
【００１０】
（２）また、画像信号と、該画像信号に同期した同期信号が分離して入力され、該画像信号に基づいて生成される画像の表示位置を調整する自動表示位置調整機能を有する画像表示装置において、前記同期信号の入力周波数の変化または前記画像信号の入力解像度の変化を検出すると、所定の期間内に、該画像信号と該同期信号との間の位相の変化によって生じた、前記画像の最適表示位置からの前記表示位置のずれを低減するように前記表示位置を調整して、前記画像の表示位置を決定する表示位置最適設定を複数回繰り返し実行するものである。
【００１１】
（３）また、画像信号と、該画像信号に同期した同期信号が分離して入力され、該画像信号に基づいて生成される画像の表示位置を調整する自動表示位置調整機能を有する画像表示装置において、前記同期信号の入力周波数の変化または前記画像信号の入力解像度の変化を検出すると、該画像信号と該同期信号との間の位相の変化によって生じた、前記画像の最適表示位置からの前記表示位置のずれを低減するように前記表示位置を調整して、前記画像の表示位置を決定する表示位置最適設定を所定の回数繰り返し実行するものである。
【００１２】
【発明の実施の形態】
実施の形態１．
以下、この発明の実施の形態１を図により説明する。図１は実施の形態１の動作を説明するフローチャートを示す。なお、ハードウエアの構成は従来技術の図４と同様である。
【００１３】
画像表示装置に入力される同期信号の周波数が変化せず、同期信号と画像の位相のみが変化するような場合は、主にパソコンの電源投入時又は解像度・リフレッシュレートの変更時に発生する。これらの場合、表示が最終表示で安定するまでに数秒で完了することがほとんどであるため、その間だけ表示位置の最適設定処理をすればよい。これを図１のフローチャートで説明する。
なお、図１のフローで、タイマーは図４のマイコン１４内に形成されている。
【００１４】
（１）まず、画像表示装置に入力される同期信号の周波数が変化したか否かを判別する（Ｓ１）。
（２）周波数が変化した場合は、その後の位置最適設定処理を行う期間を計測するタイマーの時間を設定し、スタートさせる（Ｓ２）。
例えば、設定時間は２〜３秒程度とする。
【００１５】
（３）そして、表示位置最適設定処理を行う（Ｓ４）。
なお、表示位置最適設定処理時間は通常０．１秒程度である。
（４）スタートさせたタイマーの時間経過を確認する（Ｓ５）。
（５）設定した時間が経過していればタイマーをストップさせる（Ｓ６）。
【００１６】
（６）設定した時間が経過していなければ、タイマーはストップさせずにメインルーチンの処理に入る（Ｓ５→Ｓ７）。
（７）メインルーチンの処理が終われば（Ｓ７）、また入力周波数が変化したかどうかの判別に戻る（Ｓ１）。
【００１７】
（８）入力周波数が変化していなかった場合は（Ｓ１→Ｓ３）、
（９）タイマーが動作中かどうかを確認する（Ｓ３）。
（１０）動作中であれば表示位置最適設定を行うが（Ｓ４）、タイマーがストップしていればメインルーチンの処理に入る（Ｓ３→Ｓ７）。
【００１８】
この発明の実施の形態１によれば、入力信号の周波数が変化すると、その変化後、一定期間内に表示位置最適設定を複数回繰り返して行うことにより、この一定期間内で、入力される同期信号の周波数が変化せずに同期信号と画像の位相のみが変化するような場合があっても、画像を最適位置に表示することができる。
【００１９】
実施の形態２．
図２に解像度の変更を検出した場合のフローチャートを示す。図１のステップＳ２の入力周波数の変更検出部が、図２ではステップＳ８の解像度の変更検出部に変更されるのみで、他は図１と同様である。
【００２０】
この発明の実施の形態２によれば、入力解像度が変化すると、その変化後、一定期間内に表示位置最適設定を複数回繰り返して行うことにより、この一定期間内で、入力される同期信号の周波数が変化せずに同期信号と画像の位相のみが変化するような場合があっても、画像を最適位置に表示することができる。
【００２１】
実施の形態３．
この実施の形態３は実施の形態１と実施の形態２とを組み合わせたものである。
実施の形態３では図１の処理フローと図２の処理フローと両者を持っていて、図１のフローの処理を実行中に、入力解像度の変化があると、図２のフローに処理が移りこのフローを実行する。また、図２のフローの処理を実行中に、入力周波数の変化があると、図１のフローに処理が移りこのフローを実行する。
これらの処理はタイマーが一度リセットされ、その時点から更に一定期間の期間内で表示位置最適設定が繰り返し行われる。
【００２２】
以上のようにこの実施の形態３は、入力周波数と入力解像度の両者が相前後して変化しても、最初の変化から、最後の変化後一定期間に至るまでの間、表示位置最適設定を繰り返し実行し、画像を最適位置に表示する効果を有する。
【００２３】
実施の形態４．
この実施の形態４も実施の形態３と同様に実施の形態１と実施の形態２とを組み合わせたもので、図３に実施の形態４の処理のフローを示す。
図において、ステップＳ１では入力周波数の変化を、ステップＳ８では入力解像度の変化を検出している。それ以降のフローは図１と同様であるので、動作説明は省略する。また、その効果も実施の形態３と同様である。
【００２４】
実施の形態５．
実施の形態１〜実施の形態４では、入力周波数や入力解像度が変化すると、一定期間内に表示位置最適設定を複数回繰り返して、画像を最適位置に表示したが、この実施の形態４では入力周波数や入力解像度が変化すると、その変化後、一定回数の表示位置最適設定を繰り返すようにしたものである。
【００２５】
具体的には、図１，図２，図３において、タイマーの替わりにカウンタを備え、このカウンタで表示位置最適設定（ステップＳ４）の回数を数えて設定回数になれば、カウンタをストップして設定処理を終了する。
【００２６】
以上のようにこの実施の形態５は、入力周波数と入力解像度のいずれが変化しても、表示位置最適設定を所定の回数実行し、画像を最適位置に表示する効果を有する。
【００２７】
【発明の効果】
以上のようにこの発明は、入力周波数の変化または入力解像度の変化を検出すると、表示位置最適設定を複数回繰り返し実行するようにしたので、画像を最適位置に表示することができる。
【図面の簡単な説明】
【図１】  この発明の実施の形態１よる画像表示装置の処理動作のフローチャートである。
【図２】  この発明の実施の形態２よる画像表示装置の処理動作のフローチャートである。
【図３】  この発明の実施の形態４よる画像表示装置の処理動作のフローチャートである。
【図４】  従来及びこの発明の画像表示装置のブロック図である。
【図５】  従来の画像表示装置の処理動作のフローチャートである。
【符号の説明】
１１  アナログ−デジタル変換器（ＡＤＣ）、１２  ＰＬＬ回路、
１３  制御回路、                          １４  マイクロコンピュータ、
１５  発振器、                            １６  液晶パネル。
【図１】
0004603115.tif 000002
【図２】
0004603115.tif 000003
【図３】
0004603115.tif 000004
【図４】
0004603115.tif 000005
【図５】
0004603115.tif 000006